(57)【要約】従来冷蔵庫のディスペンサは単に冷水のみを供給する。したがって、ユーザの多様なニーズを充足させることができない。そして、従来冷蔵庫には、給水源から提供される多様な成分の水を適正に浄化できないという問題点があった。  本発明は、内部に貯蔵空間を有する冷蔵庫本体及び貯蔵空間を開閉する扉を備える冷蔵庫に関し、外部の給水源から冷蔵庫本体に供給された水を扉へ案内する供給管と、供給管に送られた水を複数の連結管へ分配するバルブと、扉の内部に設けられ、前記バルブを介して供給された水を冷却させて貯水する冷却タンクと、扉の内部に設けられ、バルブを介して供給された水を、冷却タンクとは別に、受けて加熱するヒータと、冷却タンク及びヒータから供給される冷水及び温水を扉の前面を介して外部へ排出するディスペンサとを含み、ヒータへ水を供給する供給管と連結管とのいずれか一方には水を濾過するフィルターが更に備えられ、フィルターは冷蔵庫本体の貯蔵空間内部に着脱可能に装着される。【特許請求の範囲】
【請求項１】
内部に貯蔵空間を有する冷蔵庫本体及び前記貯蔵空間を開閉する扉を備えた冷蔵庫において、
外部の給水源から冷蔵庫本体に供給された水を前記扉へ案内する供給管と、
前記供給管から供給された水を複数の連結管へ分配するバルブと、
前記扉の内部に設けられ、前記バルブを介して供給された水を冷却して貯水する冷却タンクと、
前記扉の内部に設けられ、前記バルブを介して供給された水を、前記冷却タンクとは別に、受けて加熱するヒータと、
前記冷却タンク及びヒータから供給される冷水及び温水を扉の前面を介して外部へ排出するディスペンサとを含むことを特徴とする冷温水兼用ディスペンサを備えた冷蔵庫。
【請求項２】
前記ヒータへ水を供給する供給管と連結管とのいずれか一方に水を濾過するフィルターがさらに備えられ、前記フィルターは冷蔵庫本体の貯蔵空間内部に着脱可能に装着されていることを特徴とする請求項１に記載の冷温水兼用ディスペンサを備えた冷蔵庫。
【請求項３】
前記フィルターは、
水が流入する入口及び浄化された水が排出される出口を有するケーシングと、
前記ケーシング内に設けられ、スケールを発生させる成分を取り除く第１濾過部と、
前記ケーシング内に設けられ、活性炭を主成分として構成された第２濾過部とを含み、
前記入口及び出口は、いずれか一方が他方の中心を貫通するように形成されていることを特徴とする請求項２に記載の冷温水兼用ディスペンサを備えた冷蔵庫。
【請求項４】
スケールを発生させる成分を取り除く第１濾過部は、イオン交換樹脂またはポリホスフェートのうちいずれかを主成分として構成されていることを特徴とする請求項３に記載の冷温水兼用ディスペンサを備えた冷蔵庫。
【請求項５】
前記ケーシングは中空筒状に形成され、中央通路から、前記第１及び第２濾過部を通過した水を前記出口へ案内するように前記ケーシングの長手の中心線に沿って延びて前記出口と連通し、かつ前記出口は前記入口の中心へ浸入していることを特徴とする請求項４に記載の冷温水兼用ディスペンサを備えた冷蔵庫。
【請求項６】
前記フィルターは、
水が流入する入口及び浄化された水が排出される出口を有するケーシングと、
イオン交換樹脂、活性炭、ポリホスフェートまたはその組合せを主成分として構成された少なくとも１つ以上の濾過部とを含み、
前記入口及び出口は、いずれか一方が他方の中心を貫通するように形成されていることを特徴とする請求項２に記載の冷温水兼用ディスペンサを備えた冷蔵庫。
【請求項７】
前記ケーシングは中空筒状に形成され、前記濾過部を通過した水を前記出口へ案内するように前記出口と連通する中央通路が前記ケーシングの長手の中心線に沿って延在し、前記濾過部の両端にはそれぞれフランジ部と支持部とが設けられていることを特徴とする請求項６に記載の冷温水兼用ディスペンサを備えた冷蔵庫。
【請求項８】
前記ヒータは、
内部に水を流すために前記連結管に連結されたヒータ管と、
前記ヒータ管の外周面に巻かれ、電力の供給によって発熱する熱線とを含むことを特徴とする請求項１に記載の冷温水兼用ディスペンサを備えた冷蔵庫。
【請求項９】
前記ヒータは、
前記連結管の外周面を取り囲んで設けられる蓄熱管と、
前記蓄熱管の内部に備えられ、連結管を通過する水へ熱を供給する蓄熱材と、
前記蓄熱管の外面に巻かれ、電力の供給によって発熱し、前記蓄熱材へ熱を供給する熱線とを含むことを特徴とする請求項１に記載の冷温水兼用ディスペンサを備えた冷蔵庫。
【請求項１０】
複数のヒータが設けられ、
前記ヒータの少なくとも１つは、内部に水を流すために前記連結管に連結されたヒータ管と、
前記ヒータ管の外周面に巻かれ、電力の供給によって発熱する熱線とを含み、
他の前記ヒータの少なくとも１つは前記連結管の外周面を取り囲んで設けられた蓄熱管と、
前記蓄熱管の内部に備えられ、連結管を通過する水へ熱を供給する蓄熱材と、
前記蓄熱管の外面に巻かれ、電力の供給によって発熱し、前記蓄熱材へ熱を供給する熱線とを含むことを特徴とする請求項１に記載の冷温水兼用ディスペンサを備えた冷蔵庫。
【請求項１１】
前記供給管は、扉の下部ヒンジを貫通して扉内部に延びていることを特徴とする請求項１に記載の冷温水兼用ディスペンサを備えた冷蔵庫。
【請求項１２】
前記扉は、貯蔵空間のうち冷凍室を開閉するものであることを特徴とする請求項１に記載の冷温水兼用ディスペンサを備えた冷蔵庫。
【請求項１３】
内部に貯蔵空間を有する冷蔵庫本体及び前記貯蔵空間を開閉する扉を備えた冷蔵庫において、
外部の給水源から冷蔵庫本体に供給された水を前記扉へ案内する供給管と、
前記供給管から供給された水を複数の連結管へ分配するバルブと、
前記扉の内部に設けられ、前記バルブを介して供給された水を冷却して貯水する冷却タンクと、
前記扉の内部に設けられ、前記バルブを介して供給された水を、前記冷却タンクとは別に、受けて加熱するヒータと、
前記冷却タンク及びヒータから供給される冷水及び温水を扉の前面を介して外部へ排出するディスペンサと、
前記ヒータへ水を供給する供給管と連結管とのいずれか一方に連結されて水を濾過し、スケールを発生させる成分を取り除く成分及び活性炭を主成分とする濾過部をそれぞれ備えた複数のフィルターとを含むことを特徴とする冷温水兼用ディスペンサを備えた冷蔵庫。
【請求項１４】
各前記フィルターは、冷蔵庫本体の貯蔵空間内に着脱可能に装着されることを特徴とする請求項１３に記載の冷温水兼用ディスペンサを備えた冷蔵庫。
【請求項１５】
前記フィルターの少なくとも１つは、
水が流入する入口及び浄化された水が排出される出口を有するケーシングと、
前記ケーシングの内部に設けられ、スケールを発生させる成分を取り除く第１濾過部と、
前記ケーシングの内部に設けられ、活性炭を主成分として構成される第２濾過部とを含み、
他の前記フィルターの少なくとも１つは、
水が流入する入口及び浄化された水が排出される出口を有するケーシングと、
イオン交換樹脂、活性炭、ポリホスフェート、またはそれらの組合せを主成分として構成された少なくとも１つの濾過部とを含み、
前記入口及び出口のいずれか一方は他方の中心を貫通するように形成されていることを特徴とする請求項１３に記載の冷温水兼用ディスペンサを備えた冷蔵庫。
【請求項１６】
スケールを発生させる成分を取り除く第１濾過部は、イオン交換樹脂またはポーリフォスフェートのうちいずれか１つを主成分として構成されていることを特徴とする請求項１５に記載の冷温水兼用ディスペンサを備えた冷蔵庫。
【請求項１７】
前記ケーシングは、中空筒状に形成され、前記出口は、前記入口の中心へ浸入していることを特徴とする請求項１６に記載の冷温水兼用ディスペンサを備えた冷蔵庫。
【請求項１８】
前記ヒータは、
内部に水を流すために前記連結管に連結されたヒータ管と、
前記ヒータ管の外周面に巻かれ、電力の供給によって発熱する熱線とを含むことを特徴とする請求項１３に記載の冷温水兼用ディスペンサを備えた冷蔵庫。
【請求項１９】
前記ヒータは、
前記連結管の外周面を取り囲んで設けられた蓄熱管と、
前記蓄熱管の内部に備えられ、連結管を通過する水へ熱を供給する蓄熱材と、
前記蓄熱管の外面に巻かれ、電力の供給によって発熱し、前記蓄熱材へ熱を供給する熱線とを含むことを特徴とする請求項１３に記載の冷温水兼用ディスペンサを備えた冷蔵庫。
【請求項２０】
前記ヒータは複数備えられ、
前記ヒータの少なくとも１つは内部に水を流すために前記連結管に連結されたヒータ管と、
前記ヒータ管の外周面に巻かれ、電力の供給によって発熱する熱線とを含み、
他の前記ヒータの少なくとも１つは前記連結管の外周面を取り囲んで設けられた蓄熱管と、
前記蓄熱管の内部に備えられ、連結管を通過する水へ熱を供給する蓄熱材と、
前記蓄熱管の外面に巻かれ、電力の供給によって発熱し、前記蓄熱材へ熱を供給する熱線とを含み、
前記ヒータ管に熱線が巻かれたヒータは連結管の先端部に備えられていることを特徴とする請求項１３に記載の冷温水兼用ディスペンサを備えた冷蔵庫。
【請求項２１】
前記供給管は、扉の下部ヒンジを貫通して扉内部に延びていることを特徴とする請求項１３に記載の冷温水兼用ディスペンサを備えた冷蔵庫。
【請求項２２】
前記扉は、貯蔵空間の冷凍室を開閉するものであることを特徴とする請求項１３に記載の冷温水兼用ディスペンサを備えた冷蔵庫。
【請求項２３】
内部に冷蔵室及び冷凍室を含む貯蔵空間を有する冷蔵庫本体と、前記貯蔵空間をそれぞれ開閉する扉とを備えた冷蔵庫において、
外部の給水源に連結され、冷蔵庫本体を介して供給された水を前記扉へ案内する供給管と、
前記冷蔵庫本体の貯蔵空間である冷蔵室内部に備えられ、前記供給管を介して供給された水を冷却して貯水する冷却タンクと、
前記扉の内部に設けられ、前記供給管から供給された水を複数の連結管へ分配するバルブと、
前記扉の内部に設けられ、前記バルブを介して供給されて連結管を通過する水を受けて加熱するヒータと、
前記ヒータから供給される温水及び前記冷却タンクからバルブを介して供給される冷水を扉の前面を介して外部へ排出するディスペンサと、
前記供給管上の所定位置に設けられ、供給される水を濾過する少なくとも１つのフィルターとを含むことを特徴とする冷温水兼用ディスペンサを備えた冷蔵庫。
【請求項２４】
前記フィルターは冷蔵庫本体の冷凍室内または前記扉上のいずれかに着脱可能に装着されていることを特徴とする請求項２３に記載の冷温水兼用ディスペンサを備えた冷蔵庫。
【請求項２５】
前記フィルターは、
水が流入する入口の中心を通り、浄化された水を排出する出口を有するケーシングと、
前記ケーシングの内部に設けられ、イオン交換樹脂及びポリホスフェートのいずれか１つを主成分とする第１濾過部と、
前記ケーシングの内部に設けられ、活性炭を主成分として構成される第２濾過部と、
前記第２濾過部を通過した水を前記出口へ送るための、前記ケーシングの長手の中心線に沿って延びた中心通路とを含むことを特徴とする請求項２４に記載の冷温水兼用ディスペンサを備えた冷蔵庫。
【請求項２６】
前記フィルターは、
水が流入する入口の中心を通り、浄化された水を排出する出口を有するケーシングと、
イオン交換樹脂、活性炭、ポリホスフェートまたはそれらの組合せを主成分として構成された少なくとも１つ以上の濾過部とを含み、
前記濾過部を通過した水を前記出口へ送るための、前記ケーシングの長手の中心線に沿って延びた中心通路と、
前記ケーシングの内部に備えられ、前記濾過部の両端を支持するフランジと支持部とを含むことを特徴とする請求項２４に記載の冷温水兼用ディスペンサを備えた冷蔵庫。
【請求項２７】
前記ヒータは、
内部に水を流すために前記連結管に連結されたヒータ管と、
前記ヒータ管の外周面に巻かれ、電力の供給によって発熱する熱線とを含むことを特徴とする請求項２４に記載の冷温水兼用ディスペンサを備えた冷蔵庫。
【請求項２８】
前記ヒータは、
前記連結管の外周面を取り囲んで設けられた蓄熱管と、
前記蓄熱管の内部に備えられ、前記連結管を通過する水へ熱を供給する蓄熱材と、
前記蓄熱管の外面に巻かれ、電力の供給によって発熱し、前記蓄熱材へ熱を供給する熱線とを含むことを特徴とする請求項２４に記載の冷温水兼用ディスペンサを備えた冷蔵庫。
【請求項２９】
前記ヒータは複数備えられ、
前記ヒータの少なくとも１つは内部に水を流すために前記連結管に連結されたヒータ管と、
前記ヒータ管の外周面に巻かれ、電力の供給によって発熱する熱線とを含み、
他の前記ヒータの少なくとも１つは前記連結管の外周面を取り囲んで設けられた蓄熱管と、
前記蓄熱管の内部に備えられ、連結管を通過する水へ熱を供給する蓄熱材と、
前記蓄熱管の外面に巻かれ、電力の供給によって発熱し、前記蓄熱材へ熱を供給する熱線とを含むことを特徴とする請求項２４に記載の冷温水兼用ディスペンサを備えた冷蔵庫。
【請求項３０】
前記バルブから分枝された複数の連結管は、それぞれディスペンサ及び製氷機に連結されていることを特徴とする請求項２３に記載の冷温水兼用ディスペンサを備えた冷蔵庫。
【発明の詳細な説明】
【技術分野】
【０００１】
本発明は、冷蔵庫に関し、より詳しくは、冷水及び温水を排出できるディスペンサを備えた冷蔵庫に関する。
【背景技術】
【０００２】
近年、市販されている大型冷蔵庫は、扉を開けずに内部の氷または水を取り出せるディスペンサを備えている。このようなディスペンサでは、扉を開けずに内部の水または氷を取り出せるため、冷蔵庫内部の冷気が外部へ流出されることを防止できるだけではなく、ユーザに使用の便宜性を提供できるという長所がある。米国特許第６、０８２、１３０号にはディスペンサを備える冷蔵庫に関する１つの例が開示されている。
【０００３】
図１には、上記の米国特許のように、ディスペンサ製氷機を備える従来の冷蔵庫の構成が概略的に示されている。図示されたように、蛇口のような給水源から供給される水は、供給管Ｄ１を通って冷蔵庫本体１内部へ流入した後、冷蔵庫本体１の後端に設けられたフィルター３を通りつつ浄水される。このようにして浄水された水は、製氷機４へ供給されるか、水を貯蔵する貯水タンク５へ流入される。そして、前記フィルター３と、製氷機４及び貯水タンク５との間には給水バルブ６が設けられ、前記製氷機４または貯水タンク５への水の供給可否を制御する。
【０００４】
前記製氷機４及び貯水タンク５は、ディスペンサ７及び連結管Ｄ２、Ｄ３によってそれぞれ繋がれており、貯蔵されている水及び氷は、前記連結管Ｄ２、Ｄ３を通って前記ディスペンサ７へ供給される。前記ディスペンサ７では、ユーザは扉２に備えられた取出口(図示せず)を通って水及び氷を受けられる。
【０００５】
前記のような従来技術によれば、貯水タンク５からディスペンサ７を通って供給される水は冷水である。したがって、従来技術でディスペンサ７を通って冷水だけしか提供できないという短所が指摘されている。
【０００６】
そして、従来フィルター３は、連結管Ｄ２、Ｄ３の内面でスケールを発生させる石灰質成分を取り除けないため、実質的に、冷蔵庫内部のパイプ内面にスケールが発生し成長し、これによって様々な問題点が発生する恐れがあると言える。例えば、冷蔵庫内部において、水を供給する通路であるパイプの内部にスケールが発生し成長すれば、そのような部分のアフターサービスが難しくなることはもとより、冷蔵庫の内部部品の腐食可能性が高まる問題点がある。
【０００７】
また、このようなスケールが成長し、剥がれ落ちるようになれば、冷蔵庫内部において供給される水または氷内に異物の固まりが存在すると認識される恐れがあり、消費者に対する製品の信頼度を低下せしめる。また、連結管Ｄ２、Ｄ３内部に生成されたスケールによって設備の熱伝導性が低下され、電力の使用量が増加する恐れも指摘されている。
【０００８】
さらに、ディスペンサ７にヒータを設ける場合には、前記のようなスケールの生成及び成長が著しく促進されるため、スケールの発生による前記のような問題点がさらに憂慮される。
【０００９】
【特許文献１】米国特許６，０８２，１３０号
【発明の開示】
【発明が解決しようとする課題】
【００１０】
本発明は、前記の問題点に鑑みてなされたものであり、ディスペンサを介して冷水及び温水を供給できる冷蔵庫を提供することを目的とする。
【００１１】
また、本発明は、温水を供給できる冷蔵庫の配管におけるスケールの発生を防止することを他の目的とする。
【００１２】
また、本発明は、給水源から供給される水の特徴に応じて濾過が可能なフィルターを備える冷蔵庫を提供することをさらに他の目的とする。
【００１３】
また、本発明は、扉にディスペンサへ水を供給する部品及び製氷機などをすべて備えた冷蔵庫を提供することをさらに他の目的とする。
【課題を解決するための手段】
【００１４】
前記のような目的を達成するため、本発明は、内部に貯蔵空間を有する冷蔵庫本体及び前記貯蔵空間を開閉する扉を備えた冷蔵庫において、外部の給水源から冷蔵庫本体に供給された水を前記扉へ案内する供給管と、前記供給管から供給された水を複数の連結管に分配するバルブと、前記扉の内部に設けられ、前記バルブを介して供給された水を冷却して貯水する冷却タンクと、前記冷却タンクとは別に前記バルブを介して供給された水を受けて加熱するための前記扉の内部に設けられたヒータと、前記冷却タンク及びヒータから供給される冷水及び温水を扉の前面を介して外部へ排出するディスペンサとを含んで構成されることを特徴とする。
【００１５】
前記ヒータ側へ水を供給する供給管と連結管とのいずれか一方には、水を濾過するフィルターがさらに備えられ、前記フィルターは、冷蔵庫本体の貯蔵空間内部に着脱可能に装着される。
【００１６】
前記フィルターは、水が流入する入口及び浄化された水が排出される出口を有するケーシングと、前記ケーシングの内部に設けられ、スケールを発生させる成分を取り除く第１濾過部と、前記ケーシングの内部に設けられ、活性炭を主成分として構成される第２濾過部とを含み、前記入口及び出口はいずれか一方が他方の中心を貫通するように形成される。
【００１７】
前記スケールを発生させる成分を取り除く第１濾過部は、イオン交換樹脂またはポリホスフェートのいずれか１つを主成分として構成される。
【００１８】
前記ケーシングは中空筒状に形成され、前記出口は前記入口の中心に浸入するように形成されてよい。
【００１９】
前記フィルターは、水が流入する入口及び浄水された水が排出される出口を有するケーシングと、イオン交換樹脂、活性炭、ポリホスフェートまたはそれらの組合せを主成分として構成された少なくとも１つ以上の濾過部とを含み、前記入口及び出口は、いずれか一方が他方の中心を貫通するように形成される。
【００２０】
前記ケーシングは中空筒状に形成され、出口は前記入口の中心へ浸入するように形成される。
【００２１】
前記ヒータは、前記連結管に連結され、内部に水が流れるヒータ管と、前記ヒータ管の外周面に巻かれ、電力の供給によって発熱する熱線とを含んで構成される。
【００２２】
前記ヒータは、前記連結管の外周面を取り囲んで設けられた蓄熱管と、前記蓄熱管の内部に備えられ、連結管を通過する水へ熱を供給する蓄熱材と、前記蓄熱管の外面に巻かれ電力の供給によって発熱して前記蓄熱材へ熱を供給する熱線とを含んで構成される。
【００２３】
前記ヒータは複数設けられてよい。前記ヒータの少なくとも１つは前記連結管に連結されて内部に水を流すことのできるヒータ管と、前記ヒータ管の外周面に巻かれ電力の供給によって発熱する熱線とを含んでよい。他のヒータの少なくとも１つは前記連結管の外周面を取り囲んで設けられた蓄熱管と、前記蓄熱管の内部に備えられ連結管を通過する水へ熱を伝達する蓄熱材と、前記蓄熱管の外面に巻かれ電力の供給によって発熱して前記蓄熱材へ熱を伝達する熱線とを含んでよい。
【００２４】
前記供給管は、扉の下部ヒンジを貫通して扉内部に延び、前記扉は、貯蔵空間のうち冷凍室を開閉する。
【００２５】
本発明の他の特徴によれば、本発明は、内部に貯蔵空間を有する冷蔵庫本体及び前記貯蔵空間を開閉する扉を備えた冷蔵庫を提供する。この冷蔵庫は外部給水源から冷蔵庫本体に供給された水を前記扉へ案内する供給管と、前記供給管から水を複数の連結管へ分配するバルブと、前記扉の内部に設けられ、前記バルブを介して供給された水を冷却させつつ貯水する冷却タンクと、前記扉の内部に設けられ、前記バルブから供給された水を、前記冷却タンクとは別に、受けて加熱するヒータと、前記冷却タンク及びヒータから供給される冷水及び温水を扉の前面を介して外部へ排出するディスペンサと、複数のフィルターとを含んで構成される。前記フィルターは、前記ヒータへ向けて水を供給する供給管と連結管とのいずれか一方に連結され前記ヒータへ水を供給するものであり、かつスケールを発生させる成分を取り除く成分及び活性炭成分を主成分とする濾過部をそれぞれ備える。
【００２６】
好ましくは、前記各フィルターは冷蔵庫本体の貯蔵空間の内部に着脱可能に装着される。
【００２７】
本発明のさらに他の特徴によれば、本発明は、内部に冷蔵室及び冷凍室を含む貯蔵空間を有する冷蔵庫本体、及び前記貯蔵空間をそれぞれ開閉する扉を備える冷蔵庫において、外部の給水源に連結され、冷蔵庫本体を介して供給された水を前記扉へ案内する供給管と、前記冷蔵庫本体の貯蔵空間である冷蔵室内部に備えられ、前記供給管から供給された水を冷却させかつ貯水する冷却タンクと、前記扉の内部に設けられ、前記供給管から供給された水を複数の連結管へ分配するバルブと、前記扉の内部に設けられ、前記バルブを通って連結管へ流れる水を受けてその水を加熱するヒータと、前記ヒータから供給される温水及び前記冷却タンクから供給される冷水を扉の前面を介して外部へ排出するディスペンサと、前記供給管の所定位置に備えられ、外部水源から供給される水を濾過する複数のフィルターとを含んで構成される。
【００２８】
前記フィルターは、冷蔵庫本体の冷蔵室内または前記扉上のいずれかに着脱可能に装着されてよい。
【００２９】
前記バルブから分枝された複数の連結管は、それぞれディスペンサ及び製氷機に連結される。
【発明を実施するための最良の形態】
【００３０】
以下、本発明による冷温水兼用ディスペンサを備えた冷蔵庫の望ましい実施形態を添付図面を参考して詳細に説明する。
【００３１】
まず、図２乃至図４を参考すれば、一般的に冷蔵庫は内部に貯蔵空間（冷凍室及び冷蔵室）２１を備える冷蔵庫本体２０と、前記冷蔵庫本体２０の貯蔵空間２１を開閉する扉２２とで構成される。一般的に、大型冷蔵庫、すなわち並立型（ｓｉｄｅ ｂｙ ｓｉｄｅ）冷蔵庫においては、冷蔵庫本体２０の左側に上下に長く冷凍室が形成され、右側に冷蔵室が形成される。
【００３２】
そして、これら貯蔵空間２１である冷凍室及び冷蔵室は、それぞれの扉２２、２２′によって開閉される。前記扉２２、２２′の内部には断熱層２３が形成される。前記扉２２、２２′は、その上下端部の一側で、下部ヒンジ２４及び上部ヒンジ２４′によって冷蔵庫本体２０に対して回動可能に支持される。前記冷凍室の扉２２前面上にはディスペンサ２６が備えられる。そして、冷蔵室の扉２２′前面上にはホームバーやディスプレイユニットなどが備えられてよい。
【００３３】
前記冷蔵庫本体２０の内部には、外部の給水源２８から水が供給される。このために、冷蔵庫本体２０は供給管２９を介して前記給水源２８へ連結される。ここで、前記給水源２８と冷蔵庫本体２０とを連結する供給管２９には、冷蔵庫本体２０の貯蔵空間２１内部に備えられる別のフィルターが連結されてよい。前記供給管２９は、前記下部ヒンジ２４を貫通して前記扉２２の内部に延びる。前記供給管２９は、扉２２の内部において、前記断熱層２３によって覆われる。
【００３４】
前記供給管２９は、扉２２の内部において、バルブ３０に連結される。前記バルブ３０は、供給管２９を通して供給された水を、後述するディスペンサ２６及び製氷機７０等へ分配する働きをする。図２では、ディスペンサ２６へ水を供給するための連結管３１、３２のみが示されている。しかし、前記製氷機７０にも別の連結管（図示せず）が繋がれる。
【００３５】
連結管３１にはフィルター４０が備えられる。前記フィルター４０は、後述するヒータ６０へ供給される水を濾過するためのものである。前記フィルター４０は、特にヒータ６０で水が加熱される際に、連結管３１内のスケール生成成分を濾過できるものである。ここで、スケール生成成分は、水道水に含まれているカルシウムまたはマグネシウムイオン等を含む。
【００３６】
前記フィルター４０は、イオン交換樹脂を用いて作られ、かつカルシウムイオンまたはマグネシウムイオンを含む他の様々な不純物を濾過できるものである。すなわち、カルシウムイオンやマグネシウムイオンだけでなく、他の成分も取り除けるものである。さらに、他の例として、前記フィルター４０は、ポリホスフェートを用いて水中にあるカルシウムイオンまたはマグネシウムイオンがスケールを発生させないようにすることもできる。勿論、前記ポリホスフェートもイオン交換樹脂のうちの１つであるが、主にカルシウムイオンまたはマグネシウムイオンのみを取り除く場合に用いられる。
【００３７】
前記フィルター４０の出口には連結管４０′が連結され、前記連結管４０′は前記ディスペンサ２６までに延びる。前記連結管４０′の端部には温水出口４０ｅが設けられる。前記温水出口４０ｅには、温水出口４０ｅを介して連結管４０′から排出される温水を制御するバルブ（図示せず）が備えられる。
【００３８】
更に、前記フィルター４０は、前記連結管４０′ではなく、扉２２の内部にある供給管２９に連結されるように設けられることもできる。このような場合、フィルター４０によって前記ディスペンサ２６及び製氷機７０へ流れる水をすべて浄水できる。
【００３９】
前記連結管３２は冷却タンク５０に連結される。前記冷却タンク５０は扉２２の内部に設けられ、望ましくは前記断熱層２３の内部に備えられる。前記冷却タンク５０は供給された水の温度を一定以下に下げる役割をする。
【００４０】
前記冷却タンク５０の出口には連結管５０′が連結され、前記連結管５０′は前記ディスペンサ２６までに延びる。前記連結管５０′の端部には冷水出口５０ｅが設けられる。前記冷水出口５０ｅにも、冷水出口５０ｅを介して連結管５０′から排出される冷水を制御するバルブ（図示せず）が備えられる。また、前記冷却タンク５０の出口には、前記温水出口４０ｅ及び冷水出口５０ｅに備えられるバルブの開閉のためのレバー５２がそれぞれ備えられる。
【００４１】
本実施形態では、前記冷却タンク５０が扉２２に設けられているが、必ずしもそうである必要はなく、前記貯蔵空間２１のうち冷凍室内に備えられでもよい。すなわち、本発明の他の実施例として、前記供給管２９は前記冷蔵庫本体２０へ浸入するように設置できる。勿論、このような場合に、前記冷却タンク５０の下流で供給管２９上にフィルター４０が設けられることが望ましい。更に、前記冷却タンク５０で相対的に低くなった温度の水が対応するそれぞれの部分へ分配される。
【００４２】
前記連結管４０′にはヒータ６０が備えられる。前記ヒータ６０は、前記連結管４０′を通る水を加熱して、前記温水出口４０ｅを介して排出するものである。図面符号７０は、扉２２に備えられる製氷機であり、供給された水で氷を作るものである。
【００４３】
ここで、前記フィルター４０の具体的な構成に関して詳細に説明する。参考として、前記フィルター４０は、上述のように、ヒータ６０の下流で連結管３１の所定位置、または前記供給管２９の所定位置に設置されてよい。前記供給管２９には、前記下部ヒンジ２４を通過した位置または通過しない位置、即ち下部ヒンジの前または後に選択的に設けられてよい。すなわち、前記供給管２９においてフィルターの設置位置が下部ヒンジ２４の下流にある場合、フィルター４０は冷蔵庫本体２０に設置されてよく、例えば、貯蔵空間２１の冷凍室内に設置できる。そして、フィルターの設置位置が下部ヒンジ２４の上流にある場合には、フィルター４０は扉２２に例えば、扉２２の内面上に装着することができる。この際、扉２２が冷凍室扉である場合には、冷凍室内の温度影響を受けないようにフィルターを設置することが望ましい。
【００４４】
このように、本発明において、フィルター４０が冷蔵庫本体２０内部の貯蔵空間２１を介して接近できる位置に設けられることにより、ユーザは手軽にフィルター４０を交換できる。これは、フィルター４０が一定時間使われて濾過性能が劣れば、交換しなければならないからである。このように、フィルター４０を冷蔵庫内の貯蔵空間に着脱可能に設置する構成に関しては、様々な多くの変形が可能であることは勿論である。
【００４５】
このようなフィルター４０の内部構成を、図５を参考して詳細に説明する。前記フィルター４０はケーシング４１がその外観を構成する。前記ケーシング４１は、略円筒状に構成され、かつその一端部に水をフィルター４０へ導入する入口４３が形成される。前記フィルター４０において濾過された水を排出する出口４４は、前記入口４３の中心になるように形成される。すなわち、前記入口４３及び出口４４は、前記ケーシング４１の同じ端部に設けられる。これは前記入口４３及び出口４４と繋がれる前記供給管２９の構造を簡単にし、単に前記フィルター４０を貯蔵空間２１の内壁に装着さえすれば、フィルター４０と供給管２９とが繋がれるようにする。
【００４６】
前記入口４３及び出口４４は、前記ケーシング４１の中心線に沿って延びた中心通路４５によって相互に連通する。前記入口４３を通って流入した水を濾過するために、前記ケーシング４１内には、第１濾過部４６と第２濾過部４７が設けられる。前記第１濾過部４６は、前記ケーシング４１の内面と前記中心通路４５の外面間の所定空間に設けられる。前記第１濾過部４６は、水の通路上に発生しうるスケールの原因を取り除く役目をする。すなわち、前記第１濾過部４６はイオン交換樹脂で構成される。イオン交換樹脂は、スケールの発生原因となるカルシウムイオン及びマグネシウムイオンだけではなく、他の多様な成分を捕獲できる樹脂である。
【００４７】
選択的に、前記第１濾過部４６の他の構成例として、ポリホスフェート（Ｐｏｌｙｐｈｏｓｐｈａｔｅ）を用いることができる。前記ポリホスフェートは、水に含まれたカルシウム及びマグネシウムの陽イオンと反応することにより、パイプの内部を流れつつ石灰質に凝集しないようにする。したがって、一定の大きさを有する粒子状のポリホスフェートを用いて前記第１濾過部４６を構成するようになれば、粒子間の孔隙を通って水が流れる。このように流れる水に含まれたカルシウム及びマグネシウム陽イオンはポリホスフェートに反応して、石灰質として凝集できない状態になる。
【００４８】
前記第２濾過部４７は、入口４３の反対側で前記ケーシング４１内に備えられる。前記第２濾過部４７は、前記第１濾過部４６の最下流に続いて備えられる。前記第２濾過部４７は環状に形成され、その外部から中心へ水が流れるようにする。このために、前記第２濾過部４７は、前記中心通路４５のフランジ部４９とケーシング４１の最内側の支持部４９′間に備えられる。したがって、前記第２濾過部４７には、前記第１濾過部４６を通過した水がその外部へ移動し、かつ第２濾過部４７の中心へ流れ、その後に前記中心通路４５へ移動する。
【００４９】
前記第２濾過部４７は活性炭を主成分に構成され、かつ基本的な異物を吸着することによって浄水機能を行う。勿論、他の異物成分を濾過できる物質が含浸されることもできる。
【００５０】
参考として、図５に示したようなフィルター４０において、第１濾過部４６と第２濾過部４７との構成物質を相互に入れ換えることも可能である。すなわち、石灰質を生成する物質を取り除けるイオン交換樹脂及びポリホスフェートを第２濾過部４７の主成分として構成し、活性炭を第１濾過部４６の主成分とすることができる。
【００５１】
次に、図６を参考して、フィルターの他の実施形態を説明する。本実施形態によるフィルター１４０は、円筒状ケーシング１４１が外観を形成する。前記ケーシング１４１に、その一端部に水がフィルター１４０の内部へ流入する入口１４３が形成される。前記フィルター１４０で濾過された水が排出される出口１４４は、前記入口１４３の中心になるように形成される。すなわち、前記入口１４３及び出口１４４は前記ケーシング１４１の同じ端部に設けられる。これは、図５に示された実施形態と同様の構成である。
【００５２】
前記入口１４３及び出口１４４は中心通路１４５によって相互に連通し、前記入口１４３を通って流入した水を濾過するために、前記ケーシング１４１の内部には、第１濾過部１４６、第２濾過部１４７及び第３濾過部１４８が順に備えられる。前記第１濾過部１４６は、前記ケーシング１４１内の最外側に沿ってケーシング１４１の長さ方向に長く円筒状に形成され、前記第２濾過部１４７は、前記第１濾過部１４６内に同様に円筒状に形成され、前記第３濾過部１４８は、前記第２濾過部１４７内に円柱状に形成される。
【００５３】
ここで、前記第１濾過部１４６は、水中のカルシウムイオン及びマグネシウムイオンだけでなく、他の成分も捕獲できるイオン交換樹脂で構成される。前記第２濾過部１４７は、前記第１濾過部１４６を経由した水が通過する部分であり、異物による臭い及び味などを浄化するための活性炭で構成される。前記第３濾過部１４８は、第２濾過部１４７を経由した水が通過する部分であり、主に水に含まれたカルシウムイオン及びマグネシウムイオンを取り除いて石灰質の凝集を防止するポリホスフェートで構成される。
【００５４】
更に、前記濾過部１４６、１４７、１４８は、前記ケーシング１４１内において、フランジ部１４９と支持部１４９′間に位置決めされる。勿論、前記第１濾過部１４６は前記フランジ部１４９側で前記入口１４３と連通する。前記フランジ部１４９の中央には、前記第３濾過部１４８と連通する中心通路１４５が形成される。
【００５５】
更に、本実施例の濾過部１４６、１４７、１４８の構成は、前記のような同芯円状の配置以外にも、入口１４２へ供給された水がすべての濾過部１４６、１４７、１４８を経由した後に、出口１４３から外部へ排出されるように構成する条件で他の多くの変形が可能であることは勿論である。
【００５６】
一般的に濾過部には所定値のメッシュを有する不織布で構成される予備フィルター（ｐｒｅ−ｆｉｌｔｅｒ）が含まれる。本発明のそれぞれの濾過部にも、異物を濾過する役割を果たせるために、このような予備フィルターが設けられてよい。
【００５７】
次に、給水源２８から供給される水の成分によって、複数の濾過部を組み合わせて用いることもできる。図７には複数のフィルターを用いる例が示されている。すなわち、上述したフィルター４０、及び内部の濾過部がフィルター１４０とは異なる構成の別のフィルター１４０′が水流に応じて順次配置されている。換言すれば、前記供給管２９の相対的に上流にフィルター４０を装着し、他方、供給管２９の相対的に下流に前記フィルター１４０′を装着したものである。
【００５８】
ここで、前記フィルター１４０′は、その内部の濾過部が活性炭を主成分とする第１濾過部１４６、及びポリホスフェートを主成分とする第２濾過部１４７で構成される。前記第１濾過部１４６は、フランジ１４９と支持部１４９′間に中空筒状に形成され、その外部から中心へ水が流れるように構成され、他方、前記第２濾過部１４７は前記第１濾過部１４６内に円柱状に形成される。
【００５９】
図８にも、同様に複数のフィルターを用いる例が示されている。すなわち、上述したフィルター８０及び内部の濾過部がフィルター１４０、１４０′と異なる構成の別のフィルター１４０″を水流に従って順次配置したものである。ここで、前記フィルター１４０″は、活性炭を主成分とする第１濾過部１４６のみを含む。
【００６０】
このように、図７及び図８では、それぞれ２個のフィルター４０と１４０′、または４０と１４０″が設けられる例を示す。しかし、それぞれのフィルター４０、１４０、１４０′、１４０″を多様な組み合わせで用いることができる。すなわち、前記給水源２８から供給される水の成分によって適切に組み合わせ、もっとも効率的な浄水が行われるようにすることができる。
【００６１】
次に、ディスペンサ２６で温水を供給できるようにするためのヒータに関して説明する。まず、図９に示されたヒータ６０は、一種の瞬間ヒータであって、連結管４０′の端部に繋がれるヒータ管６２の外面に熱線６６を巻いたものである。すなわち、前記ヒータ管６２を熱伝導性が高い金属性パイプで構成し、前記ヒータ管６２の外周面への電力の供給によって熱を発生させる熱線６６を巻いたものである。
【００６２】
このようなヒータ６０は、その構成において多くの変形が可能なことはもとより、ヒータ管６２の内部を流れる水を加熱できる範囲内で、様々な形態が用いられうる。ここで、前記ヒータ管６２の長さ及びこれの外面に熱線６６が巻かれる面積は、水の流動速度及び供給されなければならない水の温度など様々な条件によって相異する。これは、最終的に排出される温水温度を所望値に合わせるように設計されなければならないからである。
【００６３】
図１０には、ヒータの他の実施例が示されている。すなわち、蓄熱管１６２の内部には蓄熱材１６４が内蔵され、前記蓄熱管１６２の外面に熱線１６６を捲線してヒータ１６０が構成される。連結管４０′は前記ヒータ１６０を構成する蓄熱管１６２の中心を通る。言い換えれば、ヒーター１６０は、前記連結管４０′を蓄熱管１６２が取り囲むように構成される。
【００６４】
前記蓄熱材１６４は、熱線１６６の加熱によって所定の高温状態を維持する。そして、高温状態の熱を連結管４０′の内部を流れる水に伝達する。前記蓄熱材１６４は、前記のような性質を有するものであれば、いかなる材料も使用できる。
【００６５】
例えば、蓄熱材１６４は、熱線１６６によって高温状態（高温状態では液体状態になることもでき、気体状態になることも可能）になり、この熱を連結管４０′内を流れる水に伝達できるものであれば十分である。そして、連結管４０′内の水に熱が伝達されるときに、位相変化特性を有する蓄熱材１６４が使用できる。
【００６６】
このような蓄熱材１６４として、比熱が高い材料を用いることができ、もっとも一般的な例としては水を使うことも可能である。水を蓄熱材１６４として用いる場合、電力供給によって発熱する熱線１６６によって蓄熱材１６４である水が加熱され、高温状態を維持するようになる。そして、このような状態において、連結管４０′へ水が供給される場合、前記蓄熱材１６４の熱が連結管４０′内を流れる水に伝導され、温水がディスペンサ２６へ供給される。かかるヒータ１６０において前記蓄熱管１６２が連結管４０′を巻く面積を適切に選択すれば、最終的に排出される温水の温度を所望値に調節できる。
【００６７】
図１１に示すように、２つのヒータ６０、１６０を同時に用いることも可能である。すなわち、連結管４０′を取り囲むようにヒータ１６０を設け、前記ヒータ１６０に続いて前記連結管４０′の端部にヒータ管６２を取り付けることによってヒータ６０を設ける。このように２つのヒータ６０、１６０を同時に用いる場合は、それぞれのヒータ６０、１６０の長さを相対的に短くできる。
【００６８】
以下、前記のような構成を有する本発明による冷温水兼用ディスペンサを備えた冷蔵庫の作用を詳細に説明する。
【００６９】
本発明では、給水源２８から供給管２９を通って冷蔵庫本体２０へ水が供給される。前記供給管２９は冷蔵庫本体２０で前記扉２２の下部ヒンジ２４を通って扉２２の内部にあるバルブ３０へ繋がれる。前記バルブ３０は、ディスペンサ２６及び製氷機７０へ連結管３１、３２を通して水を供給する。
【００７０】
この時、前記冷蔵庫本体２０に備えられた供給管２９または扉２２に備えられた供給管２９のいずれか一方にフィルター４０、１４０、１４０′、１４０″が装着されて浄水作用をする。勿論、図面に示された実施例で説明されたように、フィルター４０は連結管３１に設置できる。
【００７１】
前記フィルター４０は、冷蔵庫本体２０の内部一側に着脱可能に設けられ、一定期間使用の後に交換するものである。前記フィルター４０はその入口４３及び出口４４が同一端にあるので、前記供給管２９の構成が簡単になる。そして、前記フィルター４０は冷蔵庫本体２０の所望装着位置に装着することによって、前記入口４３及び出口４４が前記供給管２９に適切に連結できる。
【００７２】
すなわち、前記入口４３を通って流入した水は前記第１濾過部４６を通過するので、スケールの原因になるカルシウムイオンとマグネシウムイオンが除去される。したがって、冷蔵庫内において水を案内する各種部品及びパイプの内部にスケールが発生することを防止できる。特に、ヒータ６０を用いて水の温度を高める場合に、スケールの発生量がさらに増えることがあるが、ヒータ６０を用いて温水を供給する場合にさらに有用である。
【００７３】
前記第１濾過部４６は、イオン交換樹脂またはポリホスフェートを主成分として構成されるが、イオン交換樹脂は、スケールの発生を引き起こすカルシウムイオン及びマグネシウムイオンを捕獲する。そして、前記ポリホスフェートは、水に含まれたカルシウムイオン及びマグネシウムイオンの周り、及びパイプの内面に付着するので（ポリホスフェートがカルシウム及びマグネシウム陽イオンと反応することにより）、カルシウムイオン及びマグネシウムイオンがパイプへ流れるときに石灰質として凝集できないようにする。
【００７４】
前記第１濾過部４６を通過した水は前記第２濾過部４７へ送られる。前記第２濾過部４７においては、その外周面から中心へ流動する水から異物が除去される。前記第２濾過部４７は、活性炭を主成分とするため、異物及びそれによる臭いなどを取り除く。勿論、給水源２８から供給される水の成分のうち、除去すべきものがあれば、それに適する成分をあらかじめ前記第２濾過部４７に含浸させて構成すれば良い。前記第２濾過部４７を通過した水は前記中心通路４５を通って出口４４へ送られる。前記出口４４へ送られた水は供給管２９または連結管３２へ送られる。
【００７５】
一方、図６に示されたフィルター１４０が用いられる場合には、前記供給管２９または連結管３２から供給された水は前記入口１４２を通ってケーシング１４１へ導入される。前記ケーシング１４１内で水は、それぞれ第１濾過部１４６、第２濾過部１４７、及び第３濾過部１４８を順に通過して浄化される。
【００７６】
ここで、前記第１濾過部１４６は、イオン交換樹脂で構成されるので、カルシウムイオンやマグネシウムイオンを捕獲する。そして、前記第２濾過部１４７は、活性炭を主成分とするので、異物や臭いなどを取り除く。最後に、前記第３濾過部１４８は、ポリホスフェートを主成分とするので、水に含まれたカルシウムイオン及びマグネシウムイオンの周り及びパイプの内面をコーティングし（ポリホスフェートがカルシウム及びマグネシウム陽イオンと反応することにより）、カルシウムイオン及びマグネシウムイオンがパイプ内を流れるときに石灰質として凝集できないようにしてスケールの発生を防止する。
【００７７】
前記第１濾過部１４６、第２濾過部１４７、及び第３濾過部１４８を順に通過した水は、前記中心通路１４５を通って出口１４３へ送られ、再び供給管２９または連結管３１へ供給される。
【００７８】
更に、図７及び図８には、複数のフィルター４０、１４０、１４０′、１４０″を用いる例が示されている。このように複数のフィルター４０、１４０、１４０′、１４０″を用いる場合、その内部の濾過部は相互に重複した構成であってよい。これは、次のような理由からである。
【００７９】
すなわち、ポリホスフェートで構成される濾過部は相対的に寿命が長い、他方、イオン交換樹脂を主成分として作られる濾過部は相対的に寿命が短い。したがって、同一のケーシング内部にこの２つの濾過部が設けられる場合には、両者の寿命が異なるため、適切な交換時期を設定するのが難しい。
【００８０】
そして、冷蔵庫が用いられる地域によっては、水に含まれている成分に差があるので、浄水性能の效率性を高め、かつ交換時期を適切に設定できるように同一構成がそれぞれ異なるフィルター４０、１４０、１４０′、１４０″に重複使用される。
【００８１】
一方、浄水された水は、供給管２９または連結管３２を介して引き続き供給される。例えば、フィルター４０、１４０、１４０′、１４０″がバルブ３０よりも上流にある場合には、フィルター４０、１４０、１４０′、１４０″を通過した水はバルブ３０にて分枝され、連結管３１、３２を通ってディスペンサ２６へ送られる。そして、別の連結管を介して製氷機７０へ送られる。
【００８２】
前記連結管３１へ送られた水は、ヒータ６０及び／または１６０で加熱され、操作レバー５２の操作によって前記連結管４０′の出口４０ｅを通って排出される。この時、前記操作レバー５２の操作により、別のバルブが作動して出口４０ｅを通る水の排出を制御する。
【００８３】
前記連結管３２へ送られた水は、一応前記冷却タンク５０に貯蔵され、前記冷却タンク５０から所定温度になる。そして、前記連結管５０′の出口５０ｅに備えられたバルブを開閉操作する操作レバー５２を作動させると、冷却水は出口５０ｅを通って外部へ排出される。
【００８４】
一方、本発明では、給水源２８から供給された水がバルブ３０によって分枝され、ヒータ６０及び／または１６０そして冷却タンク５０へ分配される。このようにして、前記ヒータ６０、１６０を備えた連結管４０′へ常温の水が供給される。この場合に、前記ヒータ６０及び／または１６０が供給される熱量が相対的に小さくても所望温度までの水の加熱が迅速に行なわれると共に、消費電力の低減が可能になる。
【００８５】
以上のように、上記実施の形態を参考して詳細に説明され図示されたが、本発明は、これに限定されるものでなく、このような本発明の基本的な技術的思想を逸脱しない範囲内で、当業界の通常の知識を有する者にとっては、他の多くの変更が可能であろう。また、本発明は、添付の特許請求の範囲により解釈されるべきであることは言うまでもない。
【産業上の利用可能性】
【００８６】
上記の説明のような本発明においては、次のような效果が得られる。
まず、本発明では、扉上に備えられたディスペンサを通し冷水及び温水の供給を受けることができ、一般的に冷水のみの供給を受ける冷蔵庫に比べて使用便宜性が高くなる效果を奏する。
【００８７】
そして、本発明では、フィルターを用いて外部の給水源から供給される水を直接ディスペンサ及び製氷機等へ供給して使えるようにする。前記フィルターを冷蔵庫本体または扉内に手軽に装着できるように設計されているので、必要な時、手軽にフィルターを変換できる。
【００８８】
特に、フィルターは、イオン交換樹脂またはポリホスフェートを主成分とする濾過部を含む構成であるので、冷蔵庫の内部部品や流路にスケールが発生しないようにし、さらにきれいに浄化された水を供給できる利点を有する。
【００８９】
更に、本発明では複数のフィルターを用いて給水源から提供される水の成分に合わせて適切に浄水でき、フィルターの交換時期を最も效率的に設定できる利点がある。
【００９０】
また、本発明では給水源から供給された水を、冷水を作る部分と温水を作る部分とに分離して供給するため、冷水及び温水を作るために必要な電力消費を相対的に減少させる。
【００９１】
更に、本発明においては、ディスペンサ及び製氷機、そしてこれらに水を供給する他の部品が大部分扉に設置されるために、冷蔵庫本体の構成を相対的に簡素化でき、かつ生産者は単に扉のみの付け替えによって多様な仕様を有する冷蔵庫を生産できるという利点がある。
【図面の簡単な説明】
【００９２】
【図１】従来技術による冷蔵庫におけるディスペンサ及び製氷機への水供給のための構成を示した概略斜視図である。
【図２】本発明による冷温水兼用ディスペンサを備えた冷蔵庫の望ましい実施形態の概略構成を示したブロック図である。
【図３】本発明の好適実施形態による冷蔵庫の構成を示した正面図である。
【図４】本発明の好適実施形態による冷蔵庫扉の構成を示した断面図である。
【図５】本発明の好適実施形態によるフィルターの一例を示した断面図である。
【図６】本発明の好適実施形態によるフィルターの他の例を示した断面図である。
【図７】本発明の好適実施形態に複数のフィルターが用いられる例を示した図である。
【図８】本発明の好適実施形態に複数のフィルターが用いられる他の例を示した図である。
【図９】本発明の好適実施形態によるヒータの一例を示した外観図である。
【図１０】本発明の好適実施形態によるヒータの他の例を示した外観図である。
【図１１】本発明の好適実施形態に複数のヒータが用いられる例を示した外観図である。
【図１】
2006519357.tif 000002
【図２】
2006519357.tif 000003
【図３】
2006519357.tif 000004
【図４】
2006519357.tif 000005
【図５】
2006519357.tif 000006
【図６】
2006519357.tif 000007
【図７】
2006519357.tif 000008
【図８】
2006519357.tif 000009
【図９】
2006519357.tif 000010
【図１０】
2006519357.tif 000011
【図１１】
2006519357.tif 000012
【国際調査報告】
2006519357.tif 000013
2006519357.tif 000014